(57)【特許請求の範囲】
【請求項１】
上辺部、側辺部および下辺部を含む周縁部によって縁取りされた車体開口部と、前記車体開口部を閉塞可能なドア体との間をシールするウェザーストリップであって、
当該ウェザーストリップは、前記車体開口部の周縁部に沿って設けられた被取付体に取り付けられる取付部と、その取付部に一体的に設けられて前記ドア体に当接可能な中空状シール部とを有しており、
当該ウェザーストリップは、長尺であると共に、その長手方向において、
前記車体開口部の周縁部のうちの上辺部に沿って取り付けられる上辺対応部と、
前記車体開口部の周縁部のうちの側辺部及び下辺部の少なくとも一つに沿って取り付けられる一般部と、を有しており、
前記中空状シール部のうち当該ウェザーストリップが車体に取り付けられた際に最も外周側に位置する部位と、前記取付部の幅方向の中心線との距離に関して、前記上辺対応部における前記距離（Ｌ２）が前記一般部における前記距離（Ｌ１）よりも大きく、
前記中空状シール部は、少なくとも内周側壁部及び外周側壁部を有しており、
前記上辺対応部における中空状シール部の内周側壁部の壁厚（ｔ２）は、前記一般部における中空状シール部の内周側壁部の壁厚（ｔ１）よりも厚い、ことを特徴とするウェザーストリップ。
【請求項２】
前記中空状シール部は、その頂部付近から外周側に向けて突出する突出リップを有している、ことを特徴とする請求項１に記載のウェザーストリップ。
【請求項３】
前記中空状シール部の横断面における中空状シール部の内周側壁部の外側輪郭に沿ったアウトラインの長さに関して、前記上辺対応部における内周側壁部のアウトライン長（ＭＡ１）は、前記一般部における内周側壁部のアウトライン長（ＭＣ１）よりも長い、ことを特徴とする請求項２に記載のウェザーストリップ。 
【発明の詳細な説明】
【技術分野】
【０００１】
本発明は、ウェザーストリップに関し、特に、中空状シール部を有する長尺なウェザーストリップに関する。
【背景技術】
【０００２】
一般に車両には、車体の開口部（例えばバックドア開口部、トランク開口部、フロントドア開口部、リアドア開口部等）の周縁部と、当該開口部を開閉可能なドア体（例えばバックドア、トランクリッド、フロントドア、リアドア等）の周縁との間を風雨や埃からシールするためのウェザーストリップが設けられている。なお、車体開口部の周縁部は、概ね真っ直ぐに延びる辺部と、かかる辺部と辺部とをつなぐ湾曲したコーナー部との組合せによって縁取りされている。
【０００３】
ところで、降雨時にドア体（例えばバックドア）を開けたときに、その際の衝撃や振動を契機としてルーフ上やドア体上に付着していた雨水が、車体開口部の上辺部に取り付けられたウェザーストリップ上に流れ込むと共に、当該ウェザーストリップを乗り越えて車内にまで浸入することがある（これを「雨垂れ」と呼ぶこともある）。このような好ましくない雨水の浸入を防止すべく、例えば特許文献１（特開平１０−１２８８２２号）は、雨垂れ防止用リップ１８，２０を備えた自動車用ウェザーストリップを開示する。特許文献１の図２（ａ），（ｂ）によれば、取付基部１２の側面から第１の雨垂れ防止用リップ１８が突設されると共に、中空シール部１４の表面から第２の雨垂れ防止用リップ２０が突設されている。そして図９（ａ）に示されるように、これらのリップ１８，２０がいわば防水隔壁となってウェザーストリップ上に雨水の貯留領域が確保され、この貯留領域に雨水を一時的に溜めることで雨垂れが防止される。
【先行技術文献】
【特許文献】
【０００４】
【特許文献１】特開平１０−１２８８２２号公報
【発明の概要】
【発明が解決しようとする課題】
【０００５】
しかしながら、特許文献１の雨垂れ防止用リップ１８，２０は横断面幅が狭く、各リップの根元部分も細くなっている。このため、雨水の量が多くなると、その重みによって雨垂れ防止用リップが倒されてしまい、雨水の車内への浸入（雨垂れ）を十分に防げないおそれがあった。
【０００６】
本発明の目的は、車内への雨水等の浸入を極力防止することが可能なウェザーストリップを提供することにある。
【課題を解決するための手段】
【０００７】
請求項１の発明は、上辺部、側辺部および下辺部を含む周縁部によって縁取りされた車体開口部と、前記車体開口部を閉塞可能なドア体との間をシールするウェザーストリップであって、
当該ウェザーストリップは、前記車体開口部の周縁部に沿って設けられた被取付体に取り付けられる取付部と、その取付部に一体的に設けられて前記ドア体に当接可能な中空状シール部とを有しており、
当該ウェザーストリップは、長尺であると共に、その長手方向において、
前記車体開口部の周縁部のうちの上辺部に沿って取り付けられる上辺対応部と、
前記車体開口部の周縁部のうちの側辺部及び下辺部の少なくとも一つに沿って取り付けられる一般部と、を有しており、
前記中空状シール部のうち当該ウェザーストリップが車体に取り付けられた際に最も外周側に位置する部位と、前記取付部の幅方向の中心線との距離に関して、前記上辺対応部における前記距離（Ｌ２）が前記一般部における前記距離（Ｌ１）よりも大きく、
前記中空状シール部は、少なくとも内周側壁部及び外周側壁部を有しており、
前記上辺対応部における中空状シール部の内周側壁部の壁厚（ｔ２）は、前記一般部における中空状シール部の内周側壁部の壁厚（ｔ１）よりも厚い、ことを特徴とするウェザーストリップである。 
【０００８】
請求項１の発明によれば、ウェザーストリップが車体に取り付けられた状態では、取付部および中空状シール部の片側（外周側）において、雨水等を一時的に受け止めるための溝又は貯留領域を確保することが可能となる。この点、ウェザーストリップの上辺対応部においては、中空状シール部の最も外周側に位置する部位と取付部の幅方向中心線との距離が相対的に大きく設定されているため、上辺対応部によって確保される雨水受け止め用の溝又は貯留領域は十分に大きな容量を有することになり、少なくともその容量は、一般部における雨水受け止め用の溝又は貯留領域に対応する部分又は領域よりも大きなものとなる。このように、車体開口部の上辺部に沿って取り付けられる上辺対応部は、雨水等を一時的に貯留する能力が高いため、ドア体の開閉操作時に多量の雨水が一度に流入したとしても、その雨水が中空状シール部を乗り越えて車内に浸入する事態を極力防止することができる。
【００１０】
請求項１の発明によれば、更に次のような効果が得られる。即ち、上辺対応部における中空状シール部の内周側壁部の壁厚が相対的に厚く形成されているため、当該上辺対応部の中空状シール部の上に雨水等が溜まった場合でも、その重さで内周側壁部が潰れる事態を回避して雨水等の漏洩を極力防止することができる。また、中空状シール部の内周側壁部を厚くすることで、ドア体を閉じたときの中空状シール部の反力が大きくなり、その結果、ドア体と中空状シール部（内周側壁部）との当接性又は密着性が良くなり、シール性が向上する。 
【００１１】
請求項２の発明は、請求項１に記載のウェザーストリップにおいて、前記中空状シール部は、その頂部付近から外周側に向けて突出する突出リップを有している、ことを特徴とする。 
【００１２】
請求項２の発明によれば、請求項１の発明の効果に加えて更に次のような効果が得られる。即ち、中空状シール部の頂部付近から外周側に向けて突出するように設けられた突出リップは、ウェザーストリップの上辺対応部によって確保される雨水受け止め用の溝又は貯留領域の容量の増大に貢献する。それに加えて、突出リップは、上辺対応部によって確保される雨水受け止め用の溝又は貯留領域に溜まった雨水を、当該突出リップに沿って車体開口部の側辺部に案内して上辺部から逃がす（つまり排出誘導する）働きをする。このような突出リップの作用により、雨水の車内への浸入防止効果が更に高められる。 
【００１３】
請求項３の発明は、請求項２に記載のウェザーストリップにおいて、前記中空状シール部の横断面における中空状シール部の内周側壁部の外側輪郭に沿ったアウトラインの長さに関して、前記上辺対応部における内周側壁部のアウトライン長（ＭＡ１）は、前記一般部における内周側壁部のアウトライン長（ＭＣ１）よりも長い、ことを特徴とする。 
【００１４】
請求項３の発明によれば、請求項２の発明の効果に加えて更に次のような効果が得られる。即ち、中空状シール部の横断面視において、上辺対応部における内周側壁部のアウトライン長（外郭線の長さ）を、一般部における内周側壁部のアウトライン長（外郭線の長さ）よりも長く設定することで、上辺対応部における中空状シール部を外周側に向けてより大きく傾けることが可能となる。その結果、上辺対応部によって確保される雨水受け止め用の溝又は貯留領域の容量を相対的に大きくできると共に、雨水等の車内への浸入防止効果を高めることができる。
【発明の効果】
【００１５】
以上詳述したように本発明のウェザーストリップによれば、車内への雨水等の浸入を極力防止することができる。
【図面の簡単な説明】
【００１６】
【図１】乗用車両のバックドア開口部の概要を示し、（Ａ）は、実施形態に従うウェザーストリップの装着状態での斜視図、（Ｂ）はウェザーストリップの非装着状態での斜視図。
【図２】図１のII−II線位置でのウェザーストリップの断面図。
【図３】図１のIII−III線位置でのウェザーストリップの断面図。
【図４】ウェザーストリップの中空状シール部における寸法設定と傾斜姿勢について説明するための概略図。
【図５】（Ａ）は、ウェザーストリップの上辺対応部による雨水の受け止め状況を例示した断面図、（Ｂ）は、車体開口部の周縁部を形作るフランジ（被取付体）の従来型設計を示した概略断面図。
【発明を実施するための形態】
【００１７】
以下、本発明の一実施形態について図面を参照しつつ説明する。
図１（Ａ）及び（Ｂ）は、一般的な２ボックスタイプの乗用車両１において、バックドア２を跳ね上げた状態でのバックドア開口部３を示す。なお、１ａは車両のルーフ、１ｂは車両後部のピラー部である。
【００１８】
図１（Ｂ）に示すように、バックドア開口部３の周縁部は、概ね４つの辺部（４ａ，４ｂ，４ｃ）と、概ね４つのコーナー部（５ａ，５ｃ）との組合せによって縁取りされている。前記４つの辺部は、バックドア開口部３の上縁（ルーフ１ａの後端縁）に沿ってほぼ水平に延びる上辺部４ａ、ピラー部１ｂに沿って上下方向に延びる左右一対の側辺部４ｂ、及び、バックドア開口部３の下縁に沿ってほぼ水平に延びる下辺部４ｃからなっている。前記４つのコーナー部は、上辺部４ａと二つの側辺部４ｂとの間に位置する左右一対の上側コーナー部５ａ、及び、下辺部４ｃと二つの側辺部４ｂとの間に位置する左右一対の下側コーナー部５ｃからなっている。
【００１９】
図１（Ａ）は、バックドア開口部３の周縁部にウェザーストリップ６を装着した状態を示す。このウェザーストリップ６は、バックドア開口部３の周縁部に対応すべく環形状（または無端ひも形状）をなすと共に、前記辺部及びコーナー部からなるバックドア開口部３の周縁部の全周長に相当する長さを持った長尺なゴム製の部材として構成されている。以下に詳述するように、ウェザーストリップ６は、上辺対応部６Ａ，側辺対応部６Ｂ及び下辺対応部６Ｃを少なくとも有している。また、当該ウェザーストリップ６は、長手方向に沿ったどの位置においても横断面の基本的構造を同じくするものの、位置によって横断面形状の一部の寸法設定が異なっている。特に本実施形態では、ウェザーストリップ６の上辺対応部６Ａにおける寸法設定が、側辺対応部６Ｂ及び下辺対応部６Ｃにおける寸法設定と大きく異なっており、かかる上辺対応部６Ａを特別視する意味で、側辺対応部６Ｂ及び下辺対応部６Ｃを「一般部」と位置付けている。ちなみに本実施形態のウェザーストリップ６は、押出成形法で製造される。
【００２０】
なお、本願の明細書、図面及び特許請求の範囲において、方向又は向きを特定するための用語として「内周側」及び「外周側」を使用する。ここで、ウェザーストリップ６の「内周側」とは、ウェザーストリップ６をバックドア開口部３に装着した状態において、バックドア開口部３の周縁部の内側（中心域）に対面する側を意味し、「外周側」とは、バックドア開口部３の周縁部の外側（周囲の外部環境）に対面する側を意味する。
【００２１】
図２は、図１（Ａ）のII−II線位置での断面、即ち、バックドア開口部３の下辺部４ｃに対して取り付けられるウェザーストリップ６の下辺対応部６Ｃ（一般部）の横断面を示す。この図に示すように、下辺対応部６Ｃは、取付部１０と、その取付部１０に隣接し且つ一体化された中空トンネル状のシール部２０Ｃとを有している。
【００２２】
図２に示すように、取付部１０は、バックドア開口部３の周縁部に沿って設けられた被取付体としてのフランジＦ（仮想線で示す）に対し直接的に取り付けられる部位であり、横断面「Ｕ字」状に屈曲された金属製の芯材１１（以下「芯金１１」という）と、その芯金１１を被覆するように付着されたゴム被覆部１２とを有している。そして、ゴム被覆部１２の内側部分には、その内側表面から突出するように４つの保持リップ１３が設けられている。これらの保持リップ１３は、前記フランジＦをそれらの間に挟み込むことで当該ウェザーストリップ６をバックドア開口部３の周縁部に固定的に装着させる。また、ゴム被覆部１２の外側部分には、その外側表面から突出するように３つの補助リップ（車内側リップ１４ａ、車外側リップ１４ｂ、先端側リップ１４ｃ）が設けられている。これらのうちの車内側リップ１４ａは、カーペットや布材等の内装材の端部を覆うためのカバーリップである。また、車外側リップ１４ｂ及び先端側リップ１４ｃは、当該ウェザーストリップ６をバックドア開口部３に装着した際に車体と取付部１０との間に生じ得る隙間をシールするためのものである。
【００２３】
また、図２に示す下辺対応部６Ｃにあっては、取付部１０に隣接して中空トンネル状のシール部２０Ｃが設けられている。このシール部２０Ｃは、内周側壁部２１と外周側壁部２２とを有しており、これらの壁部２１，２２に囲まれることでシール部２０Ｃ内には、横断面略円形のトンネル状中空領域が確保されている。なお、内周側壁部２１の壁厚は均一ではなく位置によって異なっているが、特定の計測位置における壁厚ｔ１をもって内周側壁部２１の壁厚を代表させることにする。
【００２４】
シール部２０Ｃは更に、その頂部付近（即ち、内周側壁部２１と外周側壁部２２とが繋がる部位、図２ではシール部２０Ｃの右端付近）において突出リップ２３を有している。突出リップ２３は、シール部２０Ｃの頂部付近から外周側に向けて突出しており、その突出方向は、取付部１０の幅方向の中心線ＣＬ（一点鎖線で示す）に対して略直交する方向となっている。そして、このシール部２０Ｃにあって突出リップ２３の先端位置Ｙは、当該下辺対応部６Ｃが車体に取り付けられた際に最も外周側に位置する部位となっている。シール部２０Ｃにおける突出リップ２３の先端位置Ｙと前記中心線ＣＬとの間の距離は、Ｌ１に設定されている。
【００２５】
取付部１０のゴム被覆部１２および４つの保持リップ１３を形成するゴム材料は、例えば、ＥＰＤＭ（エチレンプロピレンジエン共重合体）にカーボンブラック及び加硫剤を配合してなるものであり、製造過程で加硫剤による加硫（即ちポリマー架橋反応）を施したものである。他方、取付部１０における３つの補助リップ１４ａ〜ｃ及びシール部２０Ｃを形成するゴム材料は、例えば、ＥＰＤＭにカーボンブラック、加硫剤及び発泡剤を配合してなるものであり、製造過程で加硫剤による加硫（即ちポリマー架橋反応）および発泡剤による発泡（スポンジ化）を施したものである。ここで使用可能な発泡剤としては、４，４’−オキシビス（ベンゼンスルホニルヒドラジド）（ＯＢＳＨ）（例えば、永和化成工業株式会社製商品名：ネオセルボン）、アゾジカルボンアミド（ＡＤＣＡ）、熱膨張性マイクロカプセル（例えば、積水化学工業株式会社製商品名：アドバンセル）、物理発泡剤（例えば、水、炭酸ガス）等を例示することができる。尚、発泡剤で発泡させたスポンジ状ＥＰＤＭ系ゴム材料は、上記ゴム被覆部１２等に使用される加硫済みＥＰＤＭ系ゴム材料よりも軟質でより高い柔軟性を有するものである。
【００２６】
なお、本実施形態のウェザーストリップ６のうち、バックドア開口部３の左右の側辺部４ｂに対して取り付けられる側辺対応部６Ｂは、断面形状及び寸法ともに前記下辺対応部６Ｃと基本的に同じである。つまり本実施形態では、ウェザーストリップ６の一般部を構成する側辺対応部６Ｂ及び下辺対応部６Ｃは、ほぼ同じ形状及び寸法を有している。
【００２７】
図３は、図１（Ａ）のIII−III線位置での断面、即ち、バックドア開口部３の上辺部４ａに対して取り付けられるウェザーストリップ６の上辺対応部６Ａの横断面を示す。この上辺対応部６Ａも、一般部（６Ｂ，６Ｃ）と同様に、取付部１０と、中空トンネル状のシール部２０Ａとを有している。そして、上辺対応部６Ａの取付部１０は、形状及び寸法ともに一般部（６Ｂ，６Ｃ）の取付部１０とほぼ同じである。
【００２８】
図３に示すように、取付部１０に隣接して設けられた中空トンネル状のシール部２０Ａは、内周側壁部２１と外周側壁部２２とを有しており、これらの壁部２１，２２に囲まれることでシール部２０Ａ内には、トンネル状中空領域が確保されている。なお、上辺対応部６Ａが車体に取り付けられたとき、内周側壁部２１が下側に位置し、外周側壁部２２が上側に位置することになる。シール部２０Ａの内周側壁部２１の壁厚も均一ではなく位置によって異なっているが、シール部２０Ｃの内周側壁部２１における前記壁厚ｔ１の計測位置に対応する特定の計測位置でのシール部２０Ａの内周側壁部２１の壁厚はｔ２である。そして、上辺対応部６Ａにおけるシール部２０Ａの内周側壁部２１の壁厚ｔ２は、一般部としての下辺対応部６Ｃにおけるシール部２０Ｃの内周側壁部２１の壁厚ｔ１よりも大きく設定されている（ｔ１＜ｔ２）。
【００２９】
また、前記一般部（６Ｂ，６Ｃ）のシール部と同様、上辺対応部６Ａのシール部２０Ａは、その頂部付近（即ち、内周側壁部２１と外周側壁部２２とが繋がる部位、図３ではシール部２０Ａの左端付近）において突出リップ２３を有している。突出リップ２３は、シール部２０Ｃの頂部付近から外周側に向けて突出しており、その突出方向は、取付部１０の幅方向の中心線ＣＬ（一点鎖線で示す）に対して略直交する方向となっている。そして、このシール部２０Ａにあって突出リップ２３の先端位置Ｙは、当該上辺対応部６Ａが車体に取り付けられた際に最も外周側に位置する部位となっている。シール部２０Ａにおける突出リップ２３の先端位置Ｙと前記中心線ＣＬとの間の距離はＬ２である。そして、上辺対応部６Ａのシール部２０Ａにおける前記距離Ｌ２は、一般部としての下辺対応部６Ｃのシール部２０Ｃにおける前記距離Ｌ１よりも大きく設定されている（Ｌ１＜Ｌ２）。
【００３０】
図４は、ウェザーストリップ６の上辺対応部６Ａ及び下辺対応部６Ｃにおける中空状シール部２０Ａ，２０Ｃの寸法設定と傾斜姿勢について説明するための概略図であり、特に、横断面視におけるシール部２０Ａ，２０Ｃの各壁部２１，２２の外側輪郭に沿ったアウトライン（外郭線）の長さを模式的に示したものである。図４に示すように、上辺対応部６Ａの内周側壁部２１の根元位置ＰＡ１から先端位置Ｙ（本実施形態では、突出リップ２３の先端位置Ｙにほぼ一致する）までのアウトライン長ＭＡ１は、上辺対応部６Ａの外周側壁部２２の根元位置ＰＡ２から先端位置Ｙ（本実施形態では、突出リップ２３の先端位置Ｙにほぼ一致する）までのアウトライン長ＭＡ２よりも長く設定されている。同様に、下辺対応部６Ｃの内周側壁部２１の根元位置ＰＣ１から先端位置Ｙ（本実施形態では、突出リップ２３の先端位置Ｙにほぼ一致する）までのアウトライン長ＭＣ１は、下辺対応部６Ｃの外周側壁部２２の根元位置ＰＣ２から先端位置Ｙ（本実施形態では、突出リップ２３の先端位置Ｙにほぼ一致する）までのアウトライン長ＭＣ２よりも長く設定されている。
【００３１】
そして、上辺対応部６Ａの外周側壁部２２のアウトライン長ＭＡ２と、下辺対応部６Ｃの外周側壁部２２のアウトライン長ＭＣ２との間には大差がない一方で、上辺対応部６Ａの内周側壁部２１のアウトライン長ＭＡ１は、下辺対応部６Ｃの内周側壁部２１のアウトライン長ＭＣ１よりも明らかに長く設定されている。その結果、上辺対応部６Ａのシール部２０Ａにおける、内周側壁部２１の根元位置ＰＡ１と先端位置Ｙとを結ぶ傾斜線ＬＡの、取付部１０の幅方向中心線ＣＬに対する傾斜角θ２は、下辺対応部６Ｃのシール部２０Ｃにおける、内周側壁部２１の根元位置ＰＣ１と先端位置Ｙとを結ぶ傾斜線ＬＣの、取付部１０の幅方向中心線ＣＬに対する傾斜角θ１よりも大きくなっている（θ１＜θ２）。
傾斜角θ２はシール部２０Ａの外周側への傾斜の程度を表す指標であり、傾斜角θ１はシール部２０Ｃの外周側への傾斜の程度を表す指標である。従って本実施形態のウェザーストリップ６においては、その横断面視において、上辺対応部６Ａにおける内周側壁部２１のアウトライン長ＭＡ１を、下辺対応部６Ｃにおける内周側壁部２１のアウトライン長ＭＣ１よりも長く設定することで、下辺対応部６Ｃのシール部２０Ｃに比べて、上辺対応部６Ａのシール部２０Ａを外周側に向けてより大きく傾けたものとなっている。
【００３２】
［実施形態の効果］
本実施形態によれば、ウェザーストリップ６が乗用車両１に取り付けられたとき、図５（Ａ）に示すように、上辺対応部６Ａの取付部１０及びシール部２０Ａの上側（外周側）には、ルーフ１ａ等から流れ込む雨水等を一時的に受け止めるための溝又は貯留領域Ｒを確保することができる。そして、上辺対応部６Ａにおいては、シール部２０Ａの最も外周側に位置する部位（本実施形態では、突出リップ２３の先端位置Ｙ）と取付部１０の幅方向中心線ＣＬとの距離Ｌ２が相対的に大きく設定されているため、上辺対応部６Ａによって確保される雨水受け止め用の溝又は貯留領域Ｒは十分に大きな容量を持つことができる。少なくともその容量は、一般部（６Ｂ，６Ｃ）における雨水受け止め用の溝又は貯留領域に対応する部分又は領域よりも大きなものとなる。このように、バックドア開口部３の上辺部４ａに沿って取り付けられる上辺対応部６Ａは、雨水等を一時的に貯留する能力が高いため、バックドア２の開閉操作時に多量の雨水が一度に流入したとしても、その雨水がシール部２０Ａを乗り越えて車内に浸入する事態を極力防止することができる。
【００３３】
上辺対応部６Ａのシール部２０Ａに設けられた突出リップ２３は、当該上辺対応部６Ａによって確保される雨水受け止め用の溝又は貯留領域Ｒの容量を大きくすることに貢献する。それだけでなく、突出リップ２３は、上辺対応部６Ａによって確保される雨水受け止め用の溝又は貯留領域Ｒに溜まった雨水を、当該突出リップ２３に沿って、バックドア開口部３の左右の側辺部４ｂに位置する左右の側辺対応部６Ｂに導いて、上辺対応部６Ａから逃がす働きをする。かくして、雨水の車内への浸入防止効果を更に高めている。
【００３４】
本実施形態では、ウェザーストリップ６の横断面視において、上辺対応部６Ａのシール部２０Ａにおける内周側壁部２１のアウトライン長ＭＡ１を、一般部としての下辺対応部６Ｃのシール部２０Ｃにおける内周側壁部２１のアウトライン長ＭＣ１よりも長く設定することで（ＭＣ１＜ＭＡ１）、下辺対応部６Ｃに比べて、上辺対応部６Ａにおけるシール部２０Ａを外周側に向けてより大きく傾けている（θ１＜θ２）。これにより、上辺対応部６Ａによって確保される雨水受け止め用の溝又は貯留領域Ｒの容量を相対的に大きくして、雨水等の車内への浸入防止効果を高めている。
【００３５】
この利点に関連して、従来採用されていた対策について付言する。雨水等の車内への浸入を防止する従来の対策では、バックドア開口部３の上辺部４ａに設けられたフランジＦの車両本体に対する角度を、上辺部４ａ以外の辺部４ｂ，４ｃやコーナー部５ａ，５ｃに設けられたフランジＦの車両本体に対する角度よりも小さくし且つ鋭角にしていた。具体的には図５（Ｂ）に示すように、上辺部４ａ以外の辺部４ｂ，４ｃや下側コーナー部５ｃに設けられたフランジＦ１（仮想線）の車両本体に対する角度が例えば略直角（約９０°）であるとすれば、上辺部４ａに設けられたフランジＦ２（実線）を更に鋭角に折り曲げて、当該フランジＦ２の車両本体に対する角度を約３０°〜４０°に設定していた。このようなフランジＦ２の角度設定により、当該フランジＦ２に装着されるウェザーストリップの姿勢をより起立傾向とすることで、雨水受け止め用の溝又は貯留領域の容量増加を図っていた。また、上側コーナー部５ａでは、側辺部４ｂから上辺部４ａにかけて、フランジの車両本体に対する角度を略直角から鋭角になるように徐々に変化させていた。
これに対し本実施形態のウェザーストリップ６では、下辺対応部６Ｃに比べて、上辺対応部６Ａにおけるシール部２０Ａを外周側に向けてより大きく傾斜させることで（θ１＜θ２）、最初から上辺対応部６Ａによって確保される雨水受け止め用の溝又は貯留領域Ｒの容量を相対的に大きくしている。このため、従来の対策のように上辺部４ａに設けられたフランジＦ２を他部位に設けられたフランジＦ１よりも小さな角度の鋭角に折り曲げるといった工夫（即ち、車体開口部のフランジへの追加加工）は必要なく、従って本実施形態のウェザーストリップ６は、従来の対策を前提とした従来のウェザーストリップよりも利便性に優れたものとなっている。
【００３６】
更に本実施形態では、ウェザーストリップの上辺対応部６Ａにおけるシール部２０Ａの内周側壁部２１（壁厚：ｔ２）を相対的に厚肉化している。このため、当該上辺対応部６Ａのシール部２０Ａの上に雨水等が溜まった場合でも、その重さで内周側壁部２１が潰れたり倒れたりする事態を極力回避して雨水等の漏洩を極力防止することができる。
【００３７】
また、中空トンネル状のシール部２０Ａの内周側壁部２１を厚くすることで、バックドア２を閉じたときのシール部２０Ａの反力が大きくなり、その結果、バックドア２とシール部２０Ａとの当接性又は密着性が良くなり、シール性が向上する。
【００３８】
［変更例］
上記実施形態では、中空トンネル状のシール部２０Ａ等が突出リップ２３を具備すると共に、その突出リップ２３の先端位置Ｙが「中空状シール部のうち当該ウェザーストリップが車体に取り付けられた際に最も外周側に位置する部位」に相当する設計例を説明したが、ここで言う「中空状シール部のうち最も外周側に位置する部位」が、突出リップ２３の先端位置Ｙ以外の部位であるような設計も可能であることは理解されるべきである。また、中空トンネル状のシール部２０Ａ，２０Ｃが突出リップ２３を具備しないような設計も可能である。
【符号の説明】
【００３９】
２  バックドア（ドア体）
３  バックドア開口部（車体開口部）
４ａ  上辺部（車体開口部の周縁部）
４ｂ  側辺部（車体開口部の周縁部）
４ｃ  下辺部（車体開口部の周縁部）
６  ウェザーストリップ
６Ａ  上辺対応部
６Ｂ  側辺対応部（一般部）
６Ｃ  下辺対応部（一般部）
１０  取付部
２０Ａ  シール部（上辺対応部のシール部）
２０Ｃ  シール部（一般部のシール部）
２１  内周側壁部
２２  外周側壁部
２３  突出リップ
ＣＬ  取付部の幅方向の中心線
Ｆ    フランジ（被取付体）
【図１】
0006646495.tif 000002
【図２】
0006646495.tif 000003
【図３】
0006646495.tif 000004
【図４】
0006646495.tif 000005
【図５】
0006646495.tif 000006